【手続補正書】
【提出日】平成16年1月7日(2004.1.7)
【手続補正１】
【補正対象書類名】明細書
【補正対象項目名】特許請求の範囲
【補正方法】変更
【補正の内容】
【特許請求の範囲】
【請求項１】
家庭に供給されたエネルギー使用量を計測する親メータが、エネルギー使用量を集計する検針センターと通信回線で接続するシステムにおいて、家庭には前記親メータと機器との間に機器単独のエネルギー使用量を計測する子メータを挿入し、前記子メータは前記機器が持つ識別符号と子メータが持つ予め登録した計測すべき機器の識別符号とを照合して計測を行ない前記親メータに送信する機器別検針システム。
【請求項２】
家庭に供給されたエネルギー使用量を計測する親メータが、エネルギー使用量を集計する検針センターと通信回線で接続するシステムにおいて、家庭には前記親メータから機器へのエネルギー供給ライン途中にコンセントを備え、機器単独のエネルギー使用量を計測するために前記コンセントと前記機器との間に挿入した子メータは、前記コンセントが持つ識別符号と子メータが持つ予め登録した計測すべき家庭の識別符号と照合して計測を行ない前記親メータに無線で送信する機器別検針システム。
【請求項３】
家庭に供給されたエネルギー使用量を計測する親メータが、エネルギー使用量を集計する検針センターと通信回線で接続するシステムにおいて、家庭には前記親メータから機器へのエネルギー供給ライン途中にコンセントを備え、機器単独のエネルギー使用量を計測するために前記コンセントと前記機器との間に挿入した子メータは、前記コンセントが持つ家庭の識別符号と同じ識別符号を備えた親メータに無線で送信する機器別検針システム。
【請求項４】
子メータは機器や家庭の識別符号の照合が行なえないとき、あるいは行なっても合わないときは機器へのエネルギー供給を制限したり子メータでの計測を行なわない請求項１〜３記載の機器別検針システム。
【請求項５】
機器は子メータと識別符号の通信が行なえないとき機器動作を制限する請求項１記載の機器別検針システム。
【請求項６】
子メータは機器へのエネルギー供給中に親メータとの通信を行ない、通信異常があったときはエネルギー供給を制限したり子メータでの計測を行なわない請求項１ないし３のいずれか１項記載の機器別検針システム。
【請求項７】
１家庭内に存在する子メータで計測したエネルギー使用量の合計と親メータで計測したエネルギー使用量とを比較し、同じ時間内において子メータの計測値の合計が親メータでの計測値を超えたときに報知したりエネルギー供給を制限する請求項１〜６記載の機器別検針システム。
【請求項８】
１家庭内に存在する複数の子メータでエネルギーを使用した機器の識別符号を比較し、同じ時間内において前記識別符号が重複したときに報知したりエネルギー供給を制限する請求項１ないし７のいずれか１項記載の機器別検針システム。
【請求項９】
機器の識別符号別にエネルギー使用パターンを予め登録して、実際の機器のエネルギー使用量が前記識別符号別のエネルギー使用パターンを外れたときに報知したりエネルギー供給を制限する請求項１ないし８のいずれか１項記載の機器別検針システム。
【請求項１０】
請求項１から９のいずれか１項に記載の機器別検針システムの機能をコンピュータに実現させるプログラムを記録した記録媒体。
【手続補正２】
【補正対象書類名】明細書
【補正対象項目名】００１８
【補正方法】変更
【補正の内容】
【００１８】
【課題を解決するための手段】
本発明は上記課題を解決するために、家庭に供給されたエネルギー使用量を計測する親メータが、エネルギー使用量を集計する検針センターと通信回線で接続するシステムにおいて、家庭には親メータと機器との間に機器単独のエネルギー使用量を計測する子メータを挿入し、子メータは機器が持つ識別符号と子メータが持つ予め登録した計測すべき機器の識別符号とを照合して計測を行ない親メータに送信するシステムである。


【手続補正３】
【補正対象書類名】明細書
【補正対象項目名】００２１
【補正方法】変更
【補正の内容】
【００２１】
すなわち、請求項１記載の発明のように、家庭に供給されたエネルギー使用量を計測する親メータが、エネルギー使用量を集計する検針センターと通信回線で接続するシステムにおいて、家庭には親メータと機器との間に機器単独のエネルギー使用量を計測する子メータを挿入し、子メータは機器が持つ識別符号と子メータが持つ予め登録した計測すべき機器の識別符号とを照合して計測を行ない親メータに送信するものである。


【手続補正４】
【補正対象書類名】明細書
【補正対象項目名】００２３
【補正方法】削除
【補正の内容】
【手続補正５】
【補正対象書類名】明細書
【補正対象項目名】００２４
【補正方法】削除
【補正の内容】
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】削除
【補正の内容】
【手続補正８】
【補正対象書類名】明細書
【補正対象項目名】００２７
【補正方法】削除
【補正の内容】
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】変更
【補正の内容】
【００２９】
あるいは、請求項２記載の発明のように、コンセントと機器との間に子メータを挿入し、子メータはコンセントが持つ識別符号と子メータが持つ予め登録した計測すべき家庭の識別符号と照合して計測を行ない親メータに無線で送信するものである。


【手続補正１１】
【補正対象書類名】明細書
【補正対象項目名】００３１
【補正方法】変更
【補正の内容】
【００３１】
また、請求項３記載のように、コンセントと機器との間に子メータを挿入し、子メータはコンセントが持つ家庭の識別符号と同じ識別符号を備えた親メータに無線で送信するものである。


【手続補正１２】
【補正対象書類名】明細書
【補正対象項目名】００３３
【補正方法】変更
【補正の内容】
【００３３】
加えて、請求項４記載のように、子メータは機器や家庭の識別符号の照合が行なえないとき、あるいは行なっても合わないときは機器へのエネルギー供給を制限したり子メータでの計測を行なわないものである。


【手続補正１３】
【補正対象書類名】明細書
【補正対象項目名】００３５
【補正方法】変更
【補正の内容】
【００３５】
また、請求項５記載のように、機器は子メータと識別符号の通信が行なえないとき機器動作を制限するものである。


【手続補正１４】
【補正対象書類名】明細書
【補正対象項目名】００３７
【補正方法】変更
【補正の内容】
【００３７】
また、請求項６記載のように、子メータは機器へのエネルギー供給中に親メータとの通信を行ない、通信異常があったときはエネルギー供給を制限したり子メータでの計測を行なわないものである。


【手続補正１５】
【補正対象書類名】明細書
【補正対象項目名】００４０
【補正方法】削除
【補正の内容】
【手続補正１６】
【補正対象書類名】明細書
【補正対象項目名】００４１
【補正方法】削除
【補正の内容】
【手続補正１７】
【補正対象書類名】明細書
【補正対象項目名】００４２
【補正方法】削除
【補正の内容】
【手続補正１８】
【補正対象書類名】明細書
【補正対象項目名】００４３
【補正方法】変更
【補正の内容】
【００４３】
また、請求項７記載のように、１家庭内に存在する子メータで計測したエネルギー使用量の合計と親メータで計測したエネルギー使用量とを比較し、同じ時間内において子メータの計測値の合計が親メータでの計測値を超えたときに報知したりエネルギー供給を制限するものである。


【手続補正１９】
【補正対象書類名】明細書
【補正対象項目名】００４５
【補正方法】変更
【補正の内容】
【００４５】
また、請求項８記載のように、１家庭内に存在する複数の子メータでエネルギーを使用した機器の識別符号を比較し、同じ時間内において識別符号が重複したときに報知したりエネルギー供給を制限するものである。


【手続補正２０】
【補正対象書類名】明細書
【補正対象項目名】００４７
【補正方法】変更
【補正の内容】
【００４７】
また、請求項９記載のように、機器の識別符号別にエネルギー使用パターンを予め登録して、実際の機器のエネルギー使用量が識別符号別のエネルギー使用パターンを外れたときに報知したりエネルギー供給を制限するものである。
そして、通常の使用で予め登録した使用パターンを超えることはないので、次のような異常使用を警告し阻止することができる。たとえば、機器が故障して異常動作したとか、識別符号から判別される機器と実際の機器とが異なっているなどがわかる。


【手続補正２１】
【補正対象書類名】明細書
【補正対象項目名】０１１０
【補正方法】変更
【補正の内容】
【０１１０】
時間帯別エネルギー使用料金制度や機器別エネルギー使用料金制度の契約時に対象機器の識別符号を子メータに予め登録しておき、子メータはエネルギー使用量の計測時に機器がもっている識別符号から契約の対象機器であることを確認する。以上によって時間帯別エネルギー使用料金制度や機器別エネルギー使用料金制度の対象である機器／対象でない機器を判別してエネルギー使用量が測定できる。


【手続補正２２】
【補正対象書類名】明細書
【補正対象項目名】０１１１
【補正方法】削除
【補正の内容】
【手続補正２３】
【補正対象書類名】明細書
【補正対象項目名】０１１２
【補正方法】削除
【補正の内容】
【手続補正２４】
【補正対象書類名】明細書
【補正対象項目名】０１１３
【補正方法】削除
【補正の内容】
【手続補正２５】
【補正対象書類名】明細書
【補正対象項目名】０１１４
【補正方法】削除
【補正の内容】
【手続補正２６】
【補正対象書類名】明細書
【補正対象項目名】０１１５
【補正方法】変更
【補正の内容】
【０１１５】
また、時間帯別エネルギー使用料金制度や機器別エネルギー使用料金制度の契約時に対象家庭の識別符号をコンセントに予め登録しておき、子メータはエネルギー使用量の計測時にコンセントがもっている家庭の識別符号から対象家庭であることを確認する。以上によって契約者宅での使用か隣家に貸し出しての使用かというようにその課金相手を考慮することができる。機器を隣家に貸し出して使用しても当家にエネルギー使用量が課金されることを防ぐことができる。


【手続補正２７】
【補正対象書類名】明細書
【補正対象項目名】０１１６
【補正方法】変更
【補正の内容】
【０１１６】
また、時間帯別エネルギー使用料金制度や機器別エネルギー使用料金制度の契約時に対象家庭の識別符号をコンセントに予め登録しておき、子メータはコンセントがもっている家庭の識別符号の親メータ、すなわちその使用家庭に課金する。以上によって時間帯別エネルギー使用料金制度や機器別エネルギー使用料金制度の契約をしている家庭においては他人の機器を借用して使用しても使用者宅に課金することができる。


【手続補正２８】
【補正対象書類名】明細書
【補正対象項目名】０１１７
【補正方法】変更
【補正の内容】
【０１１７】
また、機器や家庭の識別符号の照合が行なえないとき、あるいは行なっも合わないときはできないときは契約時に定めたコンセントを使用していないということである。例えば、乾燥機を対象に夜間電力利用を契約した。夜間電力利用契約で電気代が安くなる時間に、乾燥機のコンセントに洗濯機など契約対象外の機器を使用して電気代を安くする。逆に電気代が高くなる時間に、契約対象である乾燥機を洗濯機などの通常のコンセントで使用して電気代を安くするなどが考えられる。このようなときにエネルギー供給を制限して機器が満足に使用できないようにすることで契約違反に対して警告することができる。あるいはまた、子メータでの計測をやめることで使用者に有利な使用料金を適用せず契約違反を阻止することができる。


【手続補正２９】
【補正対象書類名】明細書
【補正対象項目名】０１１８
【補正方法】変更
【補正の内容】
【０１１８】
また、機器が子メータと通信が行なえないときは契約時に定めたコンセントを使用していないということである。たとえば、乾燥機を対象に夜間電力利用を契約した。昼間、電気代が高くなる時間に、乾燥機を洗濯機などの通常のコンセントで使用して電気代を安くするなどが考えられる。このようなときに機器の動作を制限して機器が満足に使用できないようにすることで契約違反に対して警告することができる。


【手続補正３０】
【補正対象書類名】明細書
【補正対象項目名】０１１９
【補正方法】変更
【補正の内容】
【０１１９】
また、子メータは親メータとの通信を行ない、通信異常があったときはエネルギー供給を制限したり子メータでの計測を行なわない。したがって、２４時間連続使用のような長時間の使用でも、短時間での大きなエネルギー使用でも使用中のある時点で通信確認を行ない、通信装置が故障したときでもその直前までの計測値が得られるので使用者からのクレームを最小限に抑えることができる。


【手続補正３１】
【補正対象書類名】明細書
【補正対象項目名】０１２０
【補正方法】削除
【補正の内容】
【手続補正３２】
【補正対象書類名】明細書
【補正対象項目名】０１２１
【補正方法】変更
【補正の内容】
【０１２１】
また、通常の使用で子メータの計測値の合計が親メータの計測値を超えることはないので、次のような異常使用を警告し阻止することができる。たとえば、子メータが他の家で使用した計測値を親メータに送信しているなどがわかる。


【手続補正３３】
【補正対象書類名】明細書
【補正対象項目名】０１２２
【補正方法】変更
【補正の内容】
【０１２２】
また、通常の使用で同じ時間に同じ機器が複数の子メータにて使用されることはないので、次のような異常使用を警告し阻止することができる。たとえば、機器が持つ識別符号の設定が誤っていたり、使用者が識別符号をコピーしたなどでがわかる。


【手続補正３４】
【補正対象書類名】明細書
【補正対象項目名】０１２３
【補正方法】変更
【補正の内容】
【０１２３】
また、通常の使用で予め登録した使用パターンを超えることはないので、次のような異常使用を警告し阻止することができる。たとえば、機器が故障して異常動作したとか、識別符号から判別される機器と実際の機器とが異なっているなどがわかる。